(57)【要約】【課題】膝痛の発生を抑止しつつ、腰痛の発生を予防できる腰痛予防靴を提供する。【解決手段】靴外底３内部の中空部４内に低弾性の充填材が充填されているので、足裏で地面状況が把握されやすくなり、地面状況に基づく適切なけり出しが可能となって踵部への衝撃が適正となり、その人に見合った適切な衝撃信号を得ることができる。これとともに、中敷き６の底面の踵周辺部位に設けられた弾性片１０ａにより、腰部に前記衝撃信号が緩和されることなく伝達されて踵周辺部の反射部位となる腰椎周辺の筋肉を刺激し、中敷き６の底面の踵中央部位に設けられた低弾性片１０ｂにより、膝部への直接的で最も強い衝撃が緩和されるので、膝痛の発生を抑止しつつ、腰痛の発生を予防できる。【選択図】        図３
2004248942.tif 000002
【特許請求の範囲】
【請求項１】
靴外底内部に足の前足部位、土踏まず部位および後足部位にわたる中空部が設けられ、前記中空部の上方で靴内底に中敷きが設けられた靴であって、
前記中敷きに接する足裏で地面状況が把握されやすいように前記中空部内に低弾性の充填材が充填されるとともに、
前記中敷きの後足部位における底面に踵衝撃受部が設けられ、この踵衝撃受部は、膝部への衝撃を緩和するように踵中央部位に設けられた低弾性片と、腰部に衝撃信号を伝達するように踵周辺部位に設けられた弾性片とを有する腰痛予防靴。
【請求項２】
請求項１において、
前記充填材が不織布またはフェルトからなる腰痛予防靴。
【請求項３】
請求項１において、
前記靴外底と中敷きの間の甲被底部が不織布またはフェルトからなる腰痛予防靴。
【請求項４】
請求項３において、
前記中敷きと甲被底部の間に加圧変形の小さい補強材が設けられ、この補強材の踵中央部位に貫通孔が設けられた腰痛予防靴。
【発明の詳細な説明】
【０００１】
【発明の属する技術分野】
本発明は、膝痛の発生を抑止しつつ、腰痛の発生を予防できる腰痛予防靴に関する。
【０００２】
【従来の技術】
一般に、靴の使用者が歩行する運動は、足の後足部の踵部で着地したのち前足部へ体重を移動し前足部で地面をける各動作からなる。この歩行動作と腰痛や膝痛とは密接に関係し、従来から腰痛、膝痛を軽減するために、種々の対策を講じた靴が市販されている。例えば、歩行着地時に踵部が地面に衝突する衝撃を緩和する中敷き（インソール）の構造（例えば、特許文献１）や、靴外底（アウトソール）の構造などが知られている。この歩行着地時における足の踵部の衝撃は、踵部から踝（くるぶし）、膝関節、大腿骨、股関節を通って腰椎へ伝達される。また、例えば、歩行のバランスを重視して歩行姿勢を制御したり安定させたりすることにより、腰痛、膝痛を軽減する靴の構造も種々知られている（例えば、特許文献２）。このように、従来から腰痛、膝痛を軽減する靴は種々存在するが、腰痛の予防に効果的な靴はほとんど存在していなかった。
【０００３】
一方、腰痛予防の対策として、例えば、腰椎周辺の筋肉を強くすることで腰椎への負担を小さくして腰痛の発生を未然に防ぐことが有効であることが知られている。
【０００４】
【特許文献１】
特公平６−９１８４９号公報
【特許文献２】
特開２００２−２８２０１２
【０００５】
【発明が解決しようとする課題】
しかし、従来の歩行着地時の踵部の衝撃を緩和する靴では、中敷きなどで衝撃を分散、吸収するものであり、膝部への負担が小さくなって膝痛の発生を阻止できるが、腰椎周辺の筋肉を刺激せず、腰椎周辺の筋肉を強くするものでないから腰痛を予防できない。その一方、歩行着地時の衝撃を緩和することなく、腰椎周辺の筋肉を強化しようとする靴では、腰痛の予防は可能であるが、膝関節への衝撃が強すぎて、膝痛が発生する。
【０００６】
一方、使用者は、歩行運動に際して、凸凹、石ころ等の障害物や傾斜などがある地面状況を、目で見て把握するとともに足裏の知覚で把握し、夜間などで地面が見にくい場合、主として足裏の知覚で把握するが、従来の衝撃を緩和した靴や歩行姿勢のバランスを重視した靴では、この知覚を十分に発揮できない場合が多かった。夜間などで地面状況が悪いと、歩行着地時に思わぬ大きな衝撃を受けることもあって、腰痛、膝痛を軽減することも予防することも不十分となる。また、足裏の知覚が十分でないと、腰部や膝部をかばうような歩行運動となり、足の各部を痛めることにもなりかねない。さらに、使用者の個体差によっても歩行着地時の衝撃が異なり、例えば体重の重い者は軽い者に比べて衝撃が大きくなるので、これに対応する必要もある。
【０００７】
本発明は、前記課題を解決して、膝痛の発生を抑止しつつ、腰痛の発生を予防できる腰痛予防靴を提供することを目的とするものである。
【０００８】
【課題を解決するための手段】
前記目的を達成するために、本発明に係る腰痛予防靴は、靴外底内部に足の前足部位、土踏まず部位および後足部位にわたる中空部が設けられ、前記中空部の上方で靴内底に中敷きが設けられた靴であって、前記中敷きに接する足裏で地面状況が把握されやすいように前記中空部内に低弾性の充填材が充填されるとともに、前記中敷きの後足部位における底面に踵衝撃受部が設けられ、この踵衝撃受部は、膝部への衝撃を緩和するように踵中央部位に設けられた低弾性片と、腰部に衝撃信号を伝達するように踵周辺部位に設けられた弾性片とを有するものである。
【０００９】
前記構成によれば、靴外底内部の中空部内に低弾性の充填材が充填されているので、足裏で地面状況が把握されやすくなり、地面状況に基づく適切なけり出しが可能となって踵部への衝撃が適正となり、その人に見合った適切な衝撃信号を得ることができる。これとともに、中敷き底面の踵周辺部位に設けられた弾性片により、腰部に前記衝撃信号が緩和されることなく伝達されて踵周辺部の反射部位となる腰椎周辺の筋肉を刺激し、中敷き底面の踵中央部位に設けられた低弾性片により、膝部への直接的で最も強い衝撃が緩和されるので、膝痛の発生を抑止しつつ、腰痛の発生を予防できる。
【００１０】
ここで、腰痛は、主に腰部を構成している椎骨、椎間板、靭帯、筋肉、神経、血管等が総合的に関連して、腰椎の機能に変調をきたすと発生するため、腰椎周辺を取り巻く筋肉を健康的に維持し、鍛えて活性化し強度を保つことが、腰椎の正常な動きをサポートし、ひいては腰痛を予防することになる。腰椎周辺の筋肉の健康を維持し、強度を保つためには、これらの筋肉を支配する神経からその人に見合った適切な衝撃信号を受けることにより、筋肉が収縮、伸展を繰り返し、より良い血液循環とエネルギーを得る必要がある。
【００１１】
また、神経から筋肉に見合った適切な信号を受けるためには、歩行運動において足のけり出しから踵部が地面に衝突する衝撃が地面状況や使用者の個体差に応じて適正である必要があり、このために足裏で地面状況を正確に把握することが不可欠となる。この地面状況の情報や実際に受けた踵部の衝撃信号は、足裏や踵部から下肢腓骨神経、脛骨神経、坐骨神経、腰神経から脊髄を通って大脳に届く。
【００１２】
本発明は、まず、地面状況に応じたけり出しをさせて適切な衝撃信号を得るために、靴外底内部に足の前足部位、土踏まず部位および後足部位にわたる中空部が設けられ、足裏で地面状況を把握しやすいように中空部内に低弾性の充填材が充填される。地面の感触は主として前足部の足裏で把握される。
【００１３】
靴外底内部の中空部内に充填される充填材は、低弾性で繊維間の繋がりが少ない不織布的な材質のもので、例えば不織布やフェルトなどが好ましく用いられる。この低弾性の充填材は、従来から靴外底の材料として用いられるポリウレタンやＥＶＡ（エチレン・酢酸ビニル共重合体）などの弾性材料とは異なり、足裏が中敷き等を介して接する地面各部の感触を分散、吸収することなく、そのまま足裏各部に伝達することができる。
また、不織布やフェルトなどの充填材は、全体的な厚さが例えば５〜８ｍｍ程度であることが、足裏で地面状況を知覚しやすいことから好ましい。
【００１４】
この低弾性の充填材を靴外底の中空部全体に使用することで、主として前足部の足裏において地面状況を知覚しやすくなり、後足部の踵部において若干の知覚と衝撃吸収の効果を有する。前足部の足裏が歩行時の地面状況をそのまま知覚することができれば、前足部がけり出し時にその状況に即応した反対足歩行の動作開始に情報を与えることができ、次のけり出しの速度、方向および強さなどの動作について地面状況に応じた適切な対応がなされる。このため、たとえ凸凹、石ころ等の障害物や傾斜がある地面であっても、前記知覚に基づき適切なけり出しが可能となって踵部への衝撃が適正となり、その人に見合った適切な衝撃信号を得ることができる。
【００１５】
また、靴外底には、例えばゴム、ポリウレタン等が使用されるが、ゴムが最も好ましく用いられる。この材料は、地面からの感触を知覚しやすいように、十分な耐久性を考慮しつつ、できるだけ厚さを薄くすることが必要となる。また、ゴム製靴外底の底面の形状は地面の状況が知覚しやすい凹凸の小さいものか、平坦なものがよい。
【００１６】
中敷きには、例えばＥＶＡスポンジ、ポリブタジエンスポンジ、ポリウレタン等が用いられる。中敷きの構造は、前足部位の厚さを後足部位よりも薄く、かつスポンジ密度を高くして耐久性を増し、靴外底の前足部位から得た地面からの知覚情報を具体的に最大漏らさずに伝えられるような構成とする。これにより、前足部の地面ホールド性も向上する。
【００１７】
ゴム製の靴外底と中敷きの間にはできるだけ地面の感触を減少させないように、中間部に介在する材料を少なくさせ、地面の感触を足裏に効果的に伝えるように設定する。甲被底部を構成する材料は一般的なプレスボード等のハードなものは避け、不織布やフェルト等を靴の吊り込みが可能な程度に樹脂セットし、例えば２〜３ｍｍの厚さに薄くして用いることが好ましい。
【００１８】
また、本発明では、中敷きの後足部位における底面に踵衝撃受部が設けられ、この踵衝撃受部は、膝部への衝撃を緩和するように踵中央部位に設けられた低弾性片と、腰部に衝撃信号を伝達するように踵周辺部位に設けられた弾性片とを有する。
【００１９】
前記踵周辺部位に設けられた弾性片は、踵部への衝撃を受けて腰部にそのまま伝達するように、可撓性と柔軟性のある例えばソリッドラバー等のような弾性材料からなる。この踵周辺部位に設けられた弾性片が歩行着地時に足の踵部への衝撃を受けると、この衝撃を緩和させることなく、踵部周辺部から直接、踝、膝関節、大腿骨、股関節神経を介して、また踵部などの足骨をその周囲でサポートする筋肉群を通じても伝達されて、この踵部周辺部の反射部位となる腰椎周辺の筋肉、特に回旋筋、多裂筋、腰腸肋筋、腸腰筋、腰方形筋に収縮、弛緩の指示を与える。
【００２０】
前記踵中央部位に設けられた低弾性片は、ＥＶＡスポンジ、ポリブタジエンスポンジ、樹脂材料等の低弾性材料からなる。この低弾性片の衝撃吸収エネルギーはＪＩＳ規格の２０ジュール以上が得られる材質であることが好ましい。低弾性片は弾性片と例えば内接しており、同程度の厚みを有する。この踵中央部位の低弾性片と踵周辺部位の弾性片は、歩行着地時においてほぼ同時に地面からの衝撃を受ける。この衝撃は踵中央部位で最も強いが、この踵中央部位に設けられた低弾性片が歩行着地時にこの強い衝撃を受けると、この踵部中央部位で膝関節への衝撃を吸収緩和して膝靭帯、半月版、滑液のサポートをする。こうして、中敷き底面の踵衝撃受部の低弾性片により、踵中央部位で膝関節への直接的で最も強い衝撃を吸収緩和するとともに、前記踵衝撃受部の弾性片により踵周辺部位で衝撃信号を緩和することなくそのまま受けて、踵部周辺部の反射部位となる腰椎周辺筋へこの衝撃信号を伝達することが可能となる。
【００２１】
本発明では、靴外底内部の中空部内に低弾性の充填材が充填されて足裏で地面状況が正確に把握されるので、この足裏からの地面状況および実際に受けた踵部の衝撃信号などが安定、継続して得られて、この大脳からの情報が反射的に適切に判断されて、次のステップ（反対足）の運動機能に影響を与える事前情報として指令が発せられる。これら情報を受けた反対の足はつぎの歩行を開始し、使用者に適正な着地衝撃のもとで踵部から着地して、地面状況に応じて使用者の個体特性に最適な歩行運動を生み出すことができる。
【００２２】
そして、この歩行運動において、踵周辺部位に設けられた弾性片から衝撃信号がそのまま伝達されることにより、踵部周辺部の反射部位となる腰椎周辺筋は収縮、弛緩して、程よい血液循環を起こし、筋肉の健康な状態を維持し、強度を保つことになる。使用者が本発明の腰痛予防靴を使用し、歩行を繰り返すことで、使用者の個体差に合わせた筋肉の収縮運動を繰り返すことになり、腰椎周囲筋を強化して腰痛を予防することができ、また脊椎健康をも維持できる。これとともに、膝部への強い衝撃は緩和されるので、膝痛の発生が抑止される。
【００２３】
また、本発明では、前記靴外底と中敷きの間の甲被底部が不織布またはフェルトからなる。したがって、甲被底部で地面の感触を分散、吸収しないので、地面の知覚を減少させないようにできる。さらに、前記中敷きと甲被底部の間に加圧変形の小さい補強材が設けられ、この補強材の踵中央部位に貫通孔が設けられている。したがって、使用者の個体差によって歩行着地時の衝撃が異なる場合に、対応することができる。
【００２４】
【発明の実施の形態】
以下、本発明の実施形態を図面に基づいて説明する。
図１は、本発明の一実施形態に係る腰痛予防靴と歩行着地時の足骨の状態を示す側面図であり、図２は下肢骨格図である。図１において、この腰痛予防靴は、靴外底３、その上部に取り付けられた甲被（アッパー）１、および靴内底に設けられた中敷き（インソール）６を備えている。靴外底３の内部に足の前足部位、土踏まず部位および後足部位にわたる中空部４が設けられて、この中空部４内に図示しない低弾性の充填材が充填されており、この低弾性の充填材により地面の感触を分散、吸収することなく、足裏で地面状況を正確に把握することができる。
【００２５】
図２において、歩行着地（ヒールコンタクト）時に発生した衝撃は、靴外底３や中敷き６等を介して、Ａ−１の踵部からＡ−２の距骨、Ａ−３の膝関節、Ａ−４の大腿骨大転子、股関節を経て、骨盤のＡ−５の腰椎に伝達される。腰椎（上部１〜下部５）は、下部が仙骨につながり仙骨は腸骨につながり骨盤を形成している。
【００２６】
このように、ヒールコンタクト時の衝撃は、Ａ−１の踵部からＡ−５の腰椎の周辺筋肉群に伝達されるが、歩行中に各部の筋肉が受ける衝撃の強さ、反射部位に関する運動医学上のデータは、筋電図として多くの実験がなされ発表されており、踵部周辺部の衝撃は、腰椎周辺筋の中でも特に回旋筋、腰腸肋筋、腰方形筋を支配する神経に強く反映され、伝達されて筋肉を刺激する。
【００２７】
図３は、本発明の腰痛予防靴の後部断面図であり、図４はその中敷き６の後足部位の底面図である。図３において、中敷き６の後足部位の踵部位における底面に踵衝撃受部１０が設けられている。踵衝撃受部１０は接着等の固定手段により中敷き６の底面に固定される。この踵衝撃受部１０は、膝部への衝撃を緩和するように踵中央部位に設けられた低弾性片１０ｂと、腰部に衝撃信号を緩和することなく伝達するように踵周辺部位に設けられた弾性片１０ａとを有する。
また、甲被１の底部には甲被１と突き合わせにしてつながる甲布底部２が設けられている。このように甲布底部２を重ね合わせずに突き合わせにすることにより、衝撃信号にできるだけ影響を与えないように、この部分の厚みを薄くできる。
【００２８】
図４のように、中敷き６の後足部位の踵周辺部位における底面に例えばソリッドラバー等からなる弾性片１０ａが設けられており、この弾性片１０ａは例えば平面視でＵ字状の形状を有している。このＵ字状の弾性片１０ａに内接して例えば平面視で楕円形の形状を有する低弾性片１０ｂが、中敷き６の後足部位の踵部中央部位における底面に衝撃吸収のために設けられており、この低弾性片１０ｂは例えばＥＶＡスポンジ等からなる。
【００２９】
また、甲被底部２の下方で中空部４の上方を蓋するように挿入された中間材５は例えばゴムスポンジ等からなり、防水目的を有するとともに、柔軟性のある中空部４の動きを安定させかつ補強する目的を有する。この中間材５は、ヒールコンタクト時の衝撃を緩みなく腰椎周辺筋に伝達するために、例えば薄さ１ｍｍ程度にすることが好ましい。
【００３０】
さらに、腰椎周辺筋などにヒールコンタクト時の衝撃をロスなく伝達するために、図５に示す例えば平面視で馬蹄形の補強材７が、図３に示す中敷き６と甲被底部２の間に設けられており、この補強材７は中敷き６の踵部位に例えば平面視で楕円形の貫通孔８を有する。この補強材７は、例えば加圧変形の少ないプレスボード等からなり、土踏まず部位から後方の後足部位までをカバーするように設けることにより、歩行初期のヒールコンタクト時における衝撃を後足部位でロスなく伝達できる。
【００３１】
図６は中敷き６と補強材７の位置関係を示す底面図である。補強材７の貫通孔８よりも中敷き６の低弾性片１０ｂの方が平面視で大きいように設けられている。例えば、体重の重い者の場合、前記中間材５だけでは加圧変形しやすくて安定性が悪く、加圧変形の少ないプレスボード７で保持させることにより安定感を増すことができる。ただし、プレスボード７は硬い材質であるから衝撃を吸収できず、貫通孔８によりこの衝撃を逃がすようになっている。
【００３２】
【発明の効果】
以上のように、本発明によれば、靴外底内部の中空部内に低弾性の充填材が充填されているので、足裏で地面状況が把握されやすくなり、地面状況に基づく適切なけり出しが可能となって踵部への衝撃が適正となり、その人に見合った適切な衝撃信号を得ることができる。これとともに、中敷き底面の踵周辺部位に設けられた弾性片により、腰部に前記衝撃信号が緩和されることなく伝達されて踵周辺部の反射部位となる腰椎周辺の筋肉を刺激し、中敷き底面の踵中央部位に設けられた低弾性片により、膝部への直接的で最も強い衝撃が緩和されるので、膝痛の発生を抑止しつつ、腰痛の発生を予防できる。
【図面の簡単な説明】
【図１】本発明の一実施形態に係る腰痛予防靴と歩行着地時の足骨の状態を示す側面図である。
【図２】下肢骨格を示す側面図である。
【図３】図１の腰痛予防靴の後部断面図である。
【図４】中敷きの踵衝撃受部を示す後部底面図である。
【図５】補助材を示す底面図である。
【図６】中敷きと補助材との位置関係を示す底面図である。
【符号の説明】
１…甲被、２…甲被底部、３…靴外底、４…中空部、５…中間材、６…中敷き、７…補強材、８…貫通孔、１０…踵衝撃受部、１０ａ…弾性片、１０ｂ…低弾性片。
【図１】
2004248942.tif 000003
【図２】
2004248942.tif 000004
【図３】
2004248942.tif 000005
【図４】
2004248942.tif 000006
【図５】
2004248942.tif 000007
【図６】
2004248942.tif 000008